(57)【要約】【課題】ユーザに充電済みの２次電池を提供するサービスを行う２次電池再利用システムを提供する。【解決手段】店舗端末装置２０は、２次電池のＩＤ番号と２次電池の固有情報とを対応して記憶する２次電池情報データベース１０４と、ユーザＩＤとユーザの利用条件とを定めるユーザ情報データベース１０５とを参照し、電池切れを発生したユーザ端末１０１を保有するユーザＩＤから、ユーザが利用可能な充電済みの２次電池ＩＤを取得する。充電済みの２次電池は、ユーザに対して、ユーザが保有する２次電池と交換して、或いは、単にレンタルとして提供される。２次電池の充電回数、使用開始からの経過期間が２次電池情報データベース１０４に登録されており、これを参照してユーザが保有する２次電池の再利用の可否が判定され、再利用が可能であれば、充電後に次のユーザに提供される。【選択図】図１
2008250786.tif 000002
【特許請求の範囲】
【請求項１】
２次電池を取り扱うサービスを実施する店舗に配設される店舗端末装置と、該店舗端末装置とネットワークを介して接続されるデータベースとを備え、充電済みの２次電池をユーザに提供する２次電池再利用システムであって、
前記データベースが、充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを有し、
前記店舗端末装置は、ユーザＩＤをキーとして前記ユーザ情報データベースを検索し、ユーザ端末で利用可能な２次電池の型番を取得し、次いで、該取得した型番をキーとして前記２次電池情報データベースを検索し、ユーザ端末で利用可能な２次電池ＩＤを取得する検索部を有し、
前記検索部で取得した２次電池ＩＤを有する充電済み２次電池をユーザに提供することを特徴とする２次電池再利用システム。
【請求項２】
前記店舗端末装置は、２次電池又は２次電池を内蔵するユーザ端末から、該２次電池の２次電池ＩＤと前記ユーザ端末内で２次電池を充電した充電回数とを取得し、前記２次電池情報データベース内の充電済み２次電池の充電回数を更新する充電回数インクリメント部を有する、請求項１に記載の２次電池再利用システム。
【請求項３】
前記２次電池の固有情報が、２次電池の使用が開始された使用開始日の情報を含む、請求項２に記載の２次電池再利用システム。
【請求項４】
前記店舗端末装置は、２次電池の使用可能期間と２次電池の充電回数のしきい値とを記憶する記憶装置を参照し、前記ユーザ端末に内蔵された２次電池が再利用可能か否かを判定する判定部を更に備える、請求項３に記載の２次電池再利用システム。
【請求項５】
前記店舗端末装置は、ユーザから引き取った２次電池が充電されて利用可能になると、該２次電池を前記２次電池情報データベースに登録する、請求項１〜４の何れか一に記載の２次電池再利用システム。
【請求項６】
前記２次電池利用情報が、ユーザにレンタル可能な２次電池の数量と、ユーザに現時点でレンタルされている２次電池の数量とを含む、請求項１〜５の何れか一に記載の２次電池再利用システム。
【請求項７】
前記店舗端末装置は、ユーザ端末に内蔵される２次電池が充電される際に、該２次電池に付属するＩＣタグから２次電池ＩＤを取得する、請求項１〜６の何れか一に記載の２次電池再利用システム。
【請求項８】
２次電池を取り扱うサービスを実施する店舗に配設される店舗端末装置を用い、充電済みの２次電池をユーザに提供する２次電池再利用方法であって、
前記店舗端末装置が、充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを構築するステップと、
前記店舗端末装置が、ユーザＩＤをキーとして前記ユーザ情報データベースを検索し、ユーザ端末で利用可能な２次電池の型番を取得するステップと、
前記店舗端末装置が、前記取得した型番をキーとして前記２次電池情報データベースを検索し、ユーザ端末で利用可能な２次電池ＩＤを取得するステップ、とを有し、
前記取得した２次電池ＩＤを有する充電済み２次電池をユーザに提供することを特徴とする２次電池再利用方法。
【請求項９】
２次電池を取り扱うサービスを実施する店舗に配設される店舗端末装置を用い、充電済みの２次電池をユーザに提供する２次電池再利用システムのためのプログラムであって、前記店舗端末装置に、
充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを構築するステップと、
ユーザＩＤをキーとして前記ユーザ情報データベースを検索し、ユーザ端末で利用可能な２次電池の型番を取得するステップと、
前記店舗端末装置が、前記取得した型番をキーとして前記２次電池情報データベースを検索し、ユーザ端末で利用可能な２次電池ＩＤを取得するステップ、とを実行させ、
前記取得した２次電池ＩＤを有する充電済み２次電池をユーザに提供することを特徴とするプログラム。
【発明の詳細な説明】
【技術分野】
【０００１】
本発明は、２次電池再利用システム、方法、及び、プログラムに関し、更に詳しくは、充電済みの２次電池をユーザに提供する２次電池再利用システム、方法、及び、プログラムに関する。
【背景技術】
【０００２】
近年、携帯電話機などの携帯端末装置が広範囲に使用されるようになり、その結果として、２次電池の使用数量が拡大している。携帯端末装置には、一般に、その携帯端末装置の仕様に合わせた専用の２次電池が用意されている。このため、外出先などで携帯端末装置が電池切れになると、予備の２次電池を携帯しているなどの特別な場合は別として、同じ種類の２次電池を外出先で入手する必要があった。
【０００３】
しかし、電子機器専用の２次電池は、比較的入手し易い一般の乾電池とは異なり、外出先での入手方法はきわめて限られている。また、２次電池が運良く入手できた場合には、使用済みとなった２次電池についても、経済性や環境負荷などを考慮して、その処置を別途に考える必要があった。
【０００４】
特許文献１には、２次電池パック（以下、単に２次電池と呼ぶ）をユーザにレンタルし、そのレンタル料金を定める電池パックの課金システムが記載されている。同特許文献では、２次電池をレンタルするにあたり、２次電池の充放電回数（充電回数）や使用開始からの経過時間を管理し、充電回数や経過時間の大小によって異なる料金設定をする。また、所定の充電回数以上に達した２次電池や、使用開始からの経過時間が所定以上に達した２次電池については、その寿命が尽きたものとして、後の使用を停止する。
【０００５】
特許文献２には、２次電池をリサイクルするために、２次電池にＩＤ番号を記憶したＲＦタグを付けておき、２次電池のリサイクル情報をＲＦタグに記録する旨が記載されている。同特許文献の技術では、２次電池を有する電子機器を廃棄する際には、ＲＦタグの情報を読み出すことで、環境負荷を与えないような適切な処理が可能となる。
【特許文献１】特開２００３−２８８５３９号公報
【特許文献２】特開２００４−１９２９９９号公報
【発明の開示】
【発明が解決しようとする課題】
【０００６】
上記双方特許文献の技術は、２次電池の廃棄数の増大に起因する環境負荷の増大を抑える。しかし、特許文献１では、２次電池の各ユーザは、レンタルによる使用を前提として、自身の電子機器の２次電池を取り扱う必要がある。このため、ユーザ自身には、最初から機器に付属する２次電池の処置について、選択の自由度が低いという問題がある。また、特許文献２には、ユーザ端末の電池切れに対して、迅速に対応するという視点に関する記述はない。
【０００７】
本発明は、上記従来技術の問題に鑑み、ユーザ端末における電池切れなどの緊急事態に容易に対応でき、その場合にも、ユーザが保有する２次電池の処置に関してユーザの選択の自由度を損なうことがなく、且つ、環境負荷の増大を低減できる２次電池再利用システム、方法、及び、プログラムを提供することを目的とする。
【課題を解決するための手段】
【０００８】
上記目的を達成するために、本発明の２次電池再利用システムは、２次電池を取り扱うサービスを実施する店舗に配設される店舗端末装置と、該店舗端末装置とネットワークを介して接続されるデータベースとを備え、充電済みの２次電池をユーザに提供する２次電池再利用システムであって、
前記データベースが、充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを有し、
前記店舗端末装置は、ユーザＩＤをキーとして前記ユーザ情報データベースを検索し、ユーザ端末で利用可能な２次電池の型番を取得し、次いで、該取得した型番をキーとして前記２次電池情報データベースを検索し、ユーザ端末で利用可能な２次電池ＩＤを取得する検索部を有し、
前記検索部で取得した２次電池ＩＤを有する充電済み２次電池をユーザに提供することを特徴とする。
【０００９】
また、本発明の２次電池再利用方法は、２次電池を取り扱うサービスを実施する店舗に配設される店舗端末装置を用い、充電済みの２次電池をユーザに提供する２次電池再利用方法であって、
前記店舗端末装置が、充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを構築するステップと、
前記店舗端末装置が、ユーザＩＤをキーとして前記ユーザ情報データベースを検索し、ユーザ端末で利用可能な２次電池の型番を取得するステップと、
前記店舗端末装置が、前記取得した型番をキーとして前記２次電池情報データベースを検索し、ユーザ端末で利用可能な２次電池ＩＤを取得するステップ、とを有し、
前記取得した２次電池ＩＤを有する充電済み２次電池をユーザに提供することを特徴とする。
【００１０】
更に、本発明のプログラムは、２次電池を取り扱うサービスを実施する店舗に配設される店舗端末装置を用い、充電済みの２次電池をユーザに提供する２次電池再利用システムのためのプログラムであって、前記店舗端末装置に、
充電済みの２次電池を特定する２次電池ＩＤと該２次電池の型番及び充電回数を含む２次電池の固有情報とを対応付けて記憶する２次電池情報データベースと、ユーザＩＤとユーザが保有するユーザ端末で利用可能な２次電池の型番を含む２次電池利用情報とを対応付けて記憶するユーザ情報データベースとを構築するステップと、
ユーザＩＤをキーとして前記ユーザ情報データベースを検索し、ユーザ端末で利用可能な２次電池の型番を取得するステップと、
前記店舗端末装置が、前記取得した型番をキーとして前記２次電池情報データベースを検索し、ユーザ端末で利用可能な２次電池ＩＤを取得するステップ、とを実行させ、
前記取得した２次電池ＩＤを有する充電済み２次電池をユーザに提供することを特徴とする。
【００１１】
本発明の２次電池再利用システム、方法、及び、プログラムでは、店舗端末装置が、ユーザ情報データベース及び２次電池情報データベースの双方を用いることにより、ユーザＩＤからユーザが求める充電済み２次電池を迅速に特定できる。
【００１２】
本発明の２次電池再利用システムでは、前記店舗端末装置が、２次電池又は２次電池を内蔵するユーザ端末から、該２次電池の２次電池ＩＤと前記ユーザ端末内で２次電池を充電した充電回数とを取得し、前記２次電池情報データベース内の充電済み２次電池の充電回数を更新する充電回数インクリメント部を有する構成を採用できる。この場合、ユーザ自身が２次電池を充電した際にも、２次電池情報データベースが正確なデータを保持できる。
【００１３】
また、前記２次電池の固有情報が、２次電池の使用が開始された使用開始日の情報を含むことも出来る。この場合には、更に、前記店舗端末装置が、２次電池の使用可能期間と２次電池の充電回数のしきい値とを記憶する記憶装置を参照し、前記ユーザ端末に内蔵された２次電池が再利用可能か否かを判定する判定部を更に備える構成を採用できる。
【００１４】
更に、前記店舗端末装置が、ユーザから引き取った２次電池が充電されて利用可能になると、該２次電池を前記２次電池情報データベースに登録する構成も採用できる。再利用できる２次電池の数が多くなり、２次電池の廃棄に伴う環境への負荷が更に低減できる。
【００１５】
更に、前記２次電池利用情報が、ユーザにレンタル可能な２次電池の数量と、ユーザに現時点でレンタルされている２次電池の数量とを含む構成を採用できる。この場合、充電済み２次電池の提供にあたり、２次電池を提供する店舗の営業効率が向上する。
【００１６】
更に、前記店舗端末装置が、ユーザ端末に内蔵される２次電池が充電される際に、該２次電池に付属するＩＣタグから２次電池ＩＤを取得する構成を採用することも出来る。ユーザが、新たに２次電池再利用システムによるサービスを受ける際の店舗の作業効率が向上する。
【発明の効果】
【００１７】
本発明の２次電池再利用システム、方法、及び、プログラムによると、店舗端末装置が、ユーザＩＤから、ユーザ端末が使用可能な２次電池の型番を検索し、更に、その型番から充電済みで使用可能な２次電池ＩＤを検索するので、検索に必要な時間が短くて済み、ユーザに対して充電済みの２次電池を迅速に提供できる。この場合、ユーザが保有する２次電池の処置に関してはユーザの選択の自由度を損なうことがなく、且つ、全体として環境負荷の増大を抑えることが出来る。
【発明を実施するための最良の形態】
【００１８】
以下、図面を参照し、本発明の最良の形態について詳細に説明する。図１は、本発明の最良の実施形態に係る２次電池再利用システムをブロック図で示している。２次電池再利用システム１００は、ユーザが保有する携帯端末装置であるユーザ端末１０１と、ユーザに対して２次電池に関するサービスを提供する店舗内に配設される店舗端末装置２０と、ネットワーク１０２と、店舗端末装置２０にネットワーク１０２を介して接続される情報データベース１０３とを有する。情報データベース１０３内には、２次電池情報データベース１０４と、ユーザ情報データベース１０５とが構築されている。情報データベース１０３を管理するサーバを別に設けてもよい。
【００１９】
図２は、上記実施形態の２次電池再利用システムで用いられる２次電池（２次電池モジュール）の構成を示している。２次電池１０は、１つ以上の２次電池を含む電池本体１１と、電池本体１１に取り付けられたＩＣタグ１２とを有する。ＩＣタグ１２は、電気回路を内蔵しており、電気回路は不揮発性記憶素子１３を含む。不揮発性記憶素子１３は、この２次電池のＩＤ番号と、２次電池の各種固有情報とを記憶している。電気回路は、不揮発性記憶素子１３のデータを読み書きし、且つ、ユーザ端末１０１の制御部との間でそのデータを送受信する。電池本体１１は、ユーザ端末１０１に直流電源を供給する。
【００２０】
図３は、上記実施形態の２次電池再利用システムの店舗内に配設され、２次電池を充電する充電器及びこれに付属する店舗端末装置を示している。店舗端末装置２０は、充電器２４に接続されており、充電器２４に接続されたユーザの携帯端末装置又は２次電池から、充電器２４を経由して、２次電池に関する情報を読み出す。店舗端末装置２０は、機能ブロックとして、情報検索部２１と、充電回数インクリメント部２２と、再利用可否判定部２３とを有し、これらはプログラムによって構成される。
【００２１】
図４は、情報データベース１０３内に構築される２次電池情報データベース１０４の内容を例示している。２次電池データベース１０４には、各２次電池のＩＤ番号と、その２次電池の品名（型番）、製造番号、使用開始日、充電回数履歴、及び、再利用の可否を示すデータとが記述されている。
【００２２】
図５は、情報データベース１０３内に構築される２次電池ユーザについてのユーザ情報データベース１０５の内容を例示している。ユーザ情報データベース１０５は、各ユーザ名、ユーザ端末ＩＤ番号、そのユーザが２次電池を利用する条件、及び、２次電池の現在の利用状況を示すデータとが記述されている。２次電池を利用する条件は、同図に示すように、例えばそのユーザが利用可能な２次電池の種類と、ユーザが契約によって利用可能な２次電池のトータル数量とを含む。また、２次電池の現在の利用状況には、２次電池再利用システムから現時点で貸与されている２次電池の個数が含まれ、更には、その電池ＩＤ番号を含んでもよい。
【００２３】
上記実施形態の２次電池再利用システムは、以下のように運用される。まず、ユーザは、予め、又は、システムを最初に利用する際に、条件を定めてユーザ登録を行う。ユーザは、自身が携帯するユーザ端末１０１の２次電池に関する情報を含んで、本システム１００のユーザ情報データベース１０５に登録される。ユーザ情報データベース１０５に登録される情報は、ユーザが自身で提供する情報と、充電器２４が２次電池１０を充電する際に、店舗端末装置２０によって２次電池１０から読み取られる情報とを含む。ユーザ登録は、複数の携帯端末装置に一括のユーザ登録の他に、携帯端末装置毎のユーザ登録も可能である。
【００２４】
２次電池１０には、予め電池のＩＤ番号と、電池の型番や製造番号を含む電池の固有情報がＩＣタグ１２に記録されており、店舗端末装置２０は、その情報を読み取る。情報の読取りは、ＩＣタグ１２から直接に取り出してもよく、或いは、ＩＣタグ１２内の電気回路を介して読み取ってもよい。なお、ＩＣタグに代えてバーコードなどでＩＤ番号などを読み取ってもよい。ＩＣタグの情報を書換え可能として、例えば使用開始日や充電回数などは、ＩＣタグ自体に書き込んでもよいが、ＩＣタグの情報は固定として、必要な情報は、携帯端末装置内に一時的に保管する構成を採用することが、費用の観点からは好ましい。
【００２５】
ユーザは、自身のユーザ端末１０１で電池切れが発生すると、２次電池のサービスを行う店舗にユーザ端末１０１を持ち込み、２次電池の充電サービス、又は、２次電池の交換サービスを要求する。充電サービスの場合には、充電が終了すると、店舗端末装置２０の充電回数インクリメント部２２が２次電池１０の充電回数をインクリメントして、情報データベース１０３の２次電池情報データベース１０４に登録する。交換サービスの場合には、電池切れが発生した２次電池を、既に充電が完了した２次電池に交換する。既に充電が完了し予め用意されている２次電池の固有情報は、そのＩＤ番号と共に、２次電池情報データベース１０４に登録されている。
【００２６】
ユーザが２次電池情報データベース１０４に登録されている２次電池を保有し、別の充電済みの２次電池との交換を希望すると、その交換により店舗に引き取られる２次電池について、充電回数などの情報が、２次電池情報データベース１０４から引き出される。ここで、ユーザ自身が充電した充電回数は、その充電回数の情報が店舗端末装置２０によって読み取られるまで、ユーザ端末内に記憶されている。店舗端末装置２０は、双方の情報から、引き取るべき２次電池の充電回数の合計を取得し、引取り価格に反映させる。引取り価格には、店舗がユーザに支払う引取り対価、及び、ユーザが店舗に支払う廃棄費用の何れか一方を含む。店舗によって引き取られた２次電池は、その充電に先立って、再利用可否判定部２３により、その充電回数や、使用開始時期、及び、製造年月に基づいて、再利用の可否が判定される。
【００２７】
再利用が可能と判定された２次電池は、その店舗で充電が行われ、次にその店舗に来店するユーザに対して、交換用２次電池として提供される。或いは、利用者が多い別の店舗に、交換用２次電池として引き渡される。再利用が不可と判定された２次電池は、所定の手続きを経て廃棄される。
【００２８】
本システム１００では、２次電池のＩＤ番号により、２次電池の品名、製造番号、使用開始日、充電回数、使用履歴などを管理する目的で、管理するすべての２次電池に固有のＩＤ番号を付け、２次電池情報データベース１０４を構築する。また、その２次電池を利用するユーザーについても、利用できる２次電池の利用条件（２次電池の種類や数量）や利用履歴（利用した２次電池のＩＤ番号や利用回数や利用状況）などを管理するため、ユーザー情報データベース１０５を構築する。双方のデータベース１０４、１０５を用いることによって、２次電池の交換やレンタルが実施される各店舗では、２次電池の再利用に関する情報と、ユーザに提供すべき２次電池の情報とが迅速に得られ、２次電池に関して迅速なサービスの提供が可能になる。
【００２９】
以下、具体的な例について、上記実施形態の詳細を説明する。図１で、例えば、ユーザーＡが街中にて、使用中のユーザ端末１０１の２次電池の容量が少なくなっていることに気づくとする。ユーザーＡは、近くにある店舗１にて、電池容量が少なくなった２次電池と、充電済みの２次電池との交換を依頼する。店舗１では、店舗端末装置２０を用いて、ネットワークに接続されたユーザー情報データベース１０５にアクセスし、ユーザーＡの利用可能な２次電池の種類、数量を確認する。そして、ユーザー条件が満たされていれば、ユーザーＡに対して、店舗１による２次電池の交換サービスの提供が可能になる。
【００３０】
図４に示した２次電池情報データベース１０４では、ＩＤ番号１の２次電池については、２次電池の品名には「ＡＡＡ」、２次電池の製造番号には「０００１」、２次電池の使用開始日には「２００６／０１／１０」、充電回数履歴には「１５０」、再利用可「○」が登録されている。充電回数履歴は、充電が行われる毎にカウントアップされる。再利用可については、「○」は充電にてリユース可能な２次電池であることを意味し、「×」は再充電での利用不可を意味している。充電回数が２次電池毎に定められた規定のしきい値を超えた場合や、使用開始日から一定の期間が過ぎている場合、或いは、製造年月からの経過日数が所定のしきい値よりも大きい場合などは、各店舗端末装置２０から、利用不可「×」としての登録が可能である。或いは、データベースを管理するサーバを用いての判定も可能である。
【００３１】
ＩＤ番号２の「ＢＢＢ」の２次電池は、充電回数が規定値（この場合は、５００回と設定）を超えたので、再利用可「×」となっており、また、ＩＤ番号３の「ＣＣＣ」の２次電池は、使用開始日から一定の期間が過ぎたので、再利用可「×」となっている。ユーザＡにより持ち込まれた２次電池が例えばＡＡＡの電池であれば、使用開始日以降の経過日数が少なく、且つ、充電回数がしきい値以下であるため、再利用が可能である。
【００３２】
ユーザー情報データベース１０５では、登録ユーザーＡのユーザ端末ＸＸＸは、利用可能な２次電池の種類として、ＡＡＡ、ＢＢＢの２種類の２次電池が利用可能である。利用可能な２次電池の数量とは、貸し出し可能な２次電池の全数量を意味し、利用状況は現時点で貸し出し中の２次電池の数量を表している。ユーザーＡは、現在のレンタル数１に加えて、別に１つの２次電池のレンタルが可能である。また、ユーザーＢ（ユーザ端末ＹＹＹ）は、現時点で３つの２次電池のレンタルが可能であり、ユーザーＣ（ユーザ端末ＺＺＺ）は、既に４つの２次電池のレンタルを受けており、それ以上のレンタルは不可である。
【００３３】
ユーザＡは、ユーザ情報データベース１０５上で、利用可能な２次電池の数量が現時点の貸出数よりも１少ないので、その分を借り受けて利用可能である。或いは、これに代えて、ユーザ端末に内蔵されている２次電池が再利用可能であれば、その電池切れの２次電池と、店舗が保有する充電済みの２次電池との交換が可能である。何れの場合にも、手数料や利用料を支払って、直ちに使用できる充電済みの２次電池が得られる。なお、利用可能な２次電池の個数は、レンタル契約書上で定める。
【００３４】
店舗端末装置２０は、２次電池情報データベース１０４を参照して、ユーザが保有する２次電池の使用開始日や充電回数などから、２次電池の寿命を判断する。店舗端末装置２０は、リユースが出来ないと判断した２次電池については、その再利用可否の指定を２次電池情報データベース１０４に、自身で登録できる。ユーザＡが２次電池の交換を希望すると、店舗１では、２次電池情報データベースへアクセスし、ユーザーＡが保有する２次電池が、充電後に再利用可能か否かを判定する。再利用が可能の場合には、再充電を行うことで、次のユーザーへのリユースに備える。また、再利用が不可と判定された場合には、廃棄にまわされる。何れの場合にも、ユーザが保有する２次電池を充電する以前に判断可能である。
【００３５】
以上、本発明をその好適な実施態様に基づいて説明したが、本発明の２次電池再利用システム、方法及びプログラムは、上記実施態様の構成にのみ限定されるものではなく、上記実施態様の構成から種々の修正及び変更を施したものも、本発明の範囲に含まれる。
【図面の簡単な説明】
【００３６】
【図１】本発明の一実施形態に係る２次電池再利用システムのブロック図。
【図２】図１の２次電池再利用システムで取引される２次電池のブロック図。
【図３】図１の店舗端末装置を示す機能ブロック図。
【図４】図１の２次電池情報データベースのデータ内容を示す表。
【図５】図１のユーザ情報データベースのデータ内容を示す表。
【符号の説明】
【００３７】
１０：２次電池（２次電池モジュール）
１１：電池本体
１２：ＩＣタグ
１３：不揮発性記憶素子
２０：店舗端末装置
２１：情報検索部
２２：充電回数インクリメント部
２３：再利用可否判定部
２４：充電器
１００：２次電池再利用システム
１０１：ユーザ端末
１０２：ネットワーク
１０３：情報データベース
１０４：２次電池情報データベース
１０５：ユーザ情報データベース
【図１】
2008250786.tif 000003
【図２】
2008250786.tif 000004
【図３】
2008250786.tif 000005
【図４】
2008250786.tif 000006
【図５】
2008250786.tif 000007